(57)【特許請求の範囲】
【請求項１】
バックアップホストと複数の通信装置と接続され、前記バックアップホストを前記複数の通信装置の通信を制御する制御装置における通信伝送路割当方法であって、
前記制御装置は、
前記複数の通信装置それぞれが属し、通信伝送路のグループ毎に、当該グループに属する通信装置の発信元特定情報および通信属性を含む当該グループにおける通信伝送路の確保のために必要なグループ情報を記憶装置に記憶しておき、
通信装置から前記通信伝送路を含む通信網を介して送信される発信元特定情報を受け、
前記受けた発信元特定情報を記憶しているか検索し、
前記検索結果、記憶していた場合は、前記受けた発信元特定情報に対応するグループ情報に従った通信属性で通信伝送路を割り当てて前記バックアップホストと所定の通信装置との通信を行うことを指示することを特徴とする通信伝送路割当方法。
【請求項２】
請求項１に記載の通信伝送路割当方法において、
前記記憶装置は、前記通信属性として、通信速度および通信形態を記憶することを特徴とする通信伝送路割当方法。
【請求項３】
バックアップホストと複数の通信装置と接続され、前記バックアップホストを前記複数の通信装置の通信を制御する通信制御装置において、
前記複数の通信装置それぞれが属し、通信伝送路のグループ毎に、当該グループに属する通信装置の発信元特定情報および通信属性を含む当該グループにおける通信伝送路の確保のために必要なグループ情報を記憶する記憶手段と、
通信装置から前記通信伝送路を含む通信網を介して送信される発信元特定情報を受け付ける受信手段と、
前記受けた発信元特定情報を記憶しているか検索する検索手段と、
前記検索結果、記憶していた場合は、前記受けた発信元特定情報に対応するグループ情報に従った通信属性で通信伝送路を割り当てて前記バックアップホストと所定の通信装置との通信を行うことを指示する指示手段とを有することを特徴とする通信制御装置。
【請求項４】
請求項３に記載の通信制御装置において、
前記記憶手段は、前記通信属性として、通信速度および通信形態を記憶することを特徴とする通信制御装置。
【発明の詳細な説明】
【０００１】
【発明の属する技術分野】
本発明は、少なくとも一種の通信網を介して接続されるノード群と通信装置群に対し、通信装置群から指定されたノード群までのエンド・エンドの伝送路を選択的に割り当てる通信伝送路の割当方法に関する。
【０００２】
【従来の技術】
近年、大震災などの広域災害による災害対策への意識の高まりと、ネットワークの発達に伴い、各方面において種々の通信網を介するバックアップ回線の採用などのコンピュータシステムの災害対策が講じられている。例えば、コンピュータセンタにあるノード群と遠隔地にある通信端末群との間を通信伝送路で接続したコンピュータシステムでは、以下のような災害対策が普及してきている。すなわち、実際の被災ケースに対応してユーザのシステムをバックアップするために、遠隔地にある通信端末群とコンピュータセンタにあるノード群とを種々の通信インタフェースで互いに通信を行えるように構成し、通信伝送路を被災ユーザ単位、または想定被災地域単位にグループ化して、必要時にグループを切り替える形態で通信伝送路を確保することにより、コンピュータシステムのバックアップを行うようにしている。このようなコンピュータシステムにおける通信伝送路の割当ては、例えば、特公平６−２４３６５号公報により開示されるように、ノード群をグループ化し、グループ単位で通信伝送路を切り替えて運用するために設けられた集中管理装置を用い、要員による切替操作を行うことで実現されている。
【０００３】
【発明が解決しようとする課題】
上述したように、従来は、被災ユーザからの申告を受け、要員が集中管理装置を操作して端末伝送路の切替を行っていた。このため、通信伝送路の切替に工数と時間を要していた。さらに、被災ユーザが希望するエンド・エンドの通信伝送路のグループを想定被災パターンに基づいて複数作成しておき、通信伝送路グループの切替えの自由度を上げると、被災ユーザが利用を希望するノード群及び通信装置群までの通信伝送路を迅速に切り替えて割り当てることが難しいという問題があった。
【０００４】
したがって本発明の目的は、上述した従来技術の欠点をなくし、通信装置から一元的に端末伝送路の切替えを行い、通信伝送路グループの切替の自由度が高く、かつ迅速な切替を行うことのできる通信伝送路の割当て方法を実現することにある。
【０００５】
【課題を解決するための手段】
上記目的を達成するために、本発明によれば、通信網に接続する複数の通信装置と、通信網を介して複数の通信装置と接続する回線スイッチと、回線スイッチに接続された端末伝送路切替装置と、該端末伝送路切替装置に接続された複数のノードと、回線スイッチ及び前記端末伝送路切替装置に接続し、回線スイッチ及び端末伝送路切替装置を制御して複数の通信装置と複数のノードとの間の通信伝送路の割当てを行う制御装置とを有するネットワークシステムにおいて、通信装置とノード間の接続の形態に応じて割り当てられる伝送路のグループに対応して、それぞれのグループに属する全てのノード及び通信装置間でエンド・エンドの通信伝送路の確保のために必要なグループ情報を予め登録しておく。好ましい態様においては、グループ情報は、発呼した通信装置の発ＩＤにより当該通信装置が予め登録された利用権限のある通信装置を登録する発着呼許可ＤＢ、割り当てる端末伝送路の経路に関する情報と通信属性情報を予め登録したリソース割当ＤＢとを含んで構成される。
【０００６】
いずれかの通信装置より、伝送路グループを指定するためのサブアドレス情報を付した発呼が行われると、制御装置は、通信装置からの発呼に応答して、サブアドレス情報に基づき、割り当てるべき通信伝送路のグループを選択する。そして、グループ情報から当該グループに属するノードと通信装置間のエンド・エンドの通信伝送路の確保のために必要な情報を抽出し、端末伝送路切替装置に端末伝送路の割当を指示して回線スイッチから、割当対象ノードまでの端末伝送路を前記抽出した情報に従った通信属性で確保するとともに、回線スイッチから割当対象通信装置に対し、予め登録された回線網を介して接続することにより指定されたグループに属するノードと通信装置間のエンド・エンドの通信伝送路を確保する。
【０００７】
これら一連の処理により、ユーザは予め登録しておいた任意のグループ化された通信伝送路提供のパターンよりノード群からユーザが回線割当を要求した全ての通信装置までのエンド・エンドの通信伝送路を通信端末から迅速に、また、一元的に選択、確保することができる。
【０００８】
【発明の実施の形態】
以下、本発明の一実施例を図面より詳細に説明する。
【０００９】
図１は、本発明の一実施の形態におけるコンピュータシステムのシステム構成図である。本実施の形態では、銀行のオンラインシステムを例として、現金自動取引機（以下、ＡＴＭと略す）の災害バックアップ運用における通信伝送路確保の具体的な形態について説明を行う。
【００１０】
７０、８０、９０、１００は通信網であり、それぞれ、ＩＳＤＮ基本サービス網、ＩＳＤＮ一次群サービス網、アナログ公衆回線網、携帯電話網である。１０〜３０は、図示しないターミナルアダプタ（以下、ＴＡと略す）を介してＩＳＤＮ基本サービス網７０に接続されるＡＴＭである。４０は、発信者番号通知機能を有効にした携帯電話機、５０は、発信者番号通知サービスを公衆回線網９０より受けたアナログ公衆電話機、６０はＴＡを介しＩＳＤＮ一次群サービス網８０に接続されたＡＴＭである。これら、ＡＴＭなどの端末装置、携帯電話機などを総じて通信装置と呼ぶ。本実施の形態においては、通信装置が１０〜６０までの６台しか示されていないが、実際にはこれ以上の数の端末装置、サーバ装置及び電話機などの通信装置が存在してもよいことはいうまでもない。
【００１１】
１１０は回線スイッチであり、本実施の形態では、ＩＳＤＮ基本サービス網７０、ＩＳＤＮ一次群サービス網８０、アナログ公衆電話網９０、携帯電話網１００との通信ユニットを搭載し、これらの回線網で利用する回線インタフェースを制御装置１２０からの指示によりＶ．２４、Ｖ．３５、Ｘ．２１などの端末インタフェースに変換する機能を有する。また、回線スイッチ１１０は、制御装置１２０からの指示により、当該装置の指定されたＤＴＥ側物理ポートに着呼させる着信ポート切替機能、及び回線網に対する着信許可、着信拒否機能も有する。
【００１２】
制御装置１２０は、回線スイッチ１１０と端末伝送路切替装置１８０とに接続し、これらの制御を行う。制御装置１２０と回線切替スイッチ１１０及び端末伝送路切替装置１８０との接続は、ここでは回線網を介さないローカル接続を示しているが、回線網を介した接続が可能であることはいうまでもない。
【００１３】
１３０は、制御装置１２０に接続された発着呼許可データベース（発着呼許可ＤＢ）であり、発着呼許可表をもつデータベースである。１４０は、制御装置１２０に接続されたリソースグループデータベース（リソースグループＤＢ）であり、リソースグループ表をもつデータベースである。１５０は、制御装置１２０に接続されたリソース割当データベース（リソース割当ＤＢ）であり、リソース割当表を格納している。
【００１４】
１６０は、記憶装置であり、ユーザに対し、割当を行った際の割当ログを記憶するための外部記憶装置である。１７０はスプールである。
【００１５】
１８０は、端末伝送路切替装置であり、制御装置１２０の指示によりＤＣＥ側ポートとＤＴＥ側ポートを制御装置１２０の指定した通信属性及び接続経路に関する情報により端末伝送路の切替を行う装置である。１９０、２００、２１０は、それぞれ、Ｖ．２４インタフェースの端末伝送路、Ｘ．２１インタフェースの端末伝送路、Ｖ．３５インタフェースの端末伝送路である。
【００１６】
２２０〜２７０は、一般にノードであり、本実施の形態においては、２２０〜２４０は通信制御装置、２５０〜２７０はルータである。なお、本実施の形態においては、ノードは６地点しか示されていないが、実際にはそれ以上またはそれ以下の数のノードが存在してよい。
【００１７】
２８０は、バックアップ用のホストコンピュータ（バックアップホストと呼ぶ）であり、制御装置１２０と接続されている。バックアップホスト２８０は、その上で動作し、銀行オンラインシステムを稼動させるためのアプリケーションプログラム２９０を有する。本実施の形態において、アプリケーションプログラム２９０として、制御装置１２０からの指示により割り当てられた端末伝送路及び回線網を利用し通信装置１０〜６０のうちの指定された通信装置に対して、ＡＴＭにおける銀行オンラインシステムを稼動させるためのプログラム（ＯＬＴＰ）を用いる。本実施の形態においては、バックアップホスト２８０上で稼働させるアプリケーションプログラム２９０をＯＬＴＰとしたが、実際には、他のアプリケーションプログラムの場合もある。
【００１８】
図５は、発着呼許可ＤＢ１３０に格納されている発着呼許可表の一例を示すテーブル構成図である。発着呼許可表は、本システムにおける回線網を介して接続される通信装置ごとに、管理ＮＯ．１３１、接続のために用いられる回線網の種別である網種別１３２、通信装置の回線番号１３３、ユーザ名称１３４、及び、接続すべき回線スイッチ１１０のＤＴＥ側ポート名称を保持している。
【００１９】
図６は、リソースグループＤＢ１４０に格納されているリソースグループ表の一例を示すテーブル構成図である。
【００２０】
リソースグループ表は、本システムを利用するユーザの通信装置ごとに、ユーザ名称１４１、その通信装置のサブアドレス、バックアップセンタにより提供される伝送路グループを識別するための割当リソースグループ名１４３、グループメンバ管理Ｎｏ．１４４を保持している。
【００２１】
図７は、リソース割当ＤＢ１５０に格納されているリソース割当表の一例を示すテーブル構成図である。
【００２２】
リソース割当表は、端末伝送路切替及び通信属性に関する情報として、管理Ｎｏ．１５１ごとに、端末伝送路切替装置１８０のＤＴＥポートＮｏ．１５２、ＤＣＥポートＮｏ．１５３、及び通信属性として通信速度１５４、通信形態１５５を保持している。
【００２３】
図２、３、４は、本システムにおける通信伝送路の割当処理の流れを示すフローチャートである。ここでは、通信装置として、ＡＴＭ１０によりバックアップホスト２８０の利用要求があった場合を想定して説明を行う。
【００２４】
まず、ＡＴＭ１０がＩＳＤＮ基本サービス網７０によりサブアドレスを付与し発呼を行う（ステップ３０１）。これにより、ＩＳＤＮ基本サービス網７０より回線スイッチ１１０に対し着信要求が出される。このとき、ＩＳＤＮ基本サービス網７０からは、着信要求と共に、発信者を識別するための発信者識別子（発ＩＤ）となるＡＴＭ１０の回線番号と発呼時に付与された発サブアドレスが回線スイッチ１１０に通知される（ステップ３０２）。
【００２５】
回線スイッチ１１０は、  ＩＳＤＮ基本サービス網７０から着信要求を受けると、それと共に通知された発ＩＤ、及び発サブアドレスを制御装置１２０に通知する。（ステップ３０３）
制御装置１２０は、発着呼許可ＤＢ１３０を検索し、発着呼許可表の通信装置の回線番号１３３に登録されている回線番号が回線スイッチ１１０から受けた発ＩＤと一致するレコードが存在するか調べる（ステップ３０４）。該当するレコードがない場合は、その発呼元には利用権限がないものと判断し、ステップ５０１に進む。該当するレコードが存在すれば、着呼が許可できるものと判断し、ステップ３０５に進む。
【００２６】
ステップ３０５では、ステップ３０４で見つかった該当レコードのユーザ名称１３４から発呼元の通信装置の属するユーザ名称を抽出する。続いて、抽出したユーザ名称に基づいてリソースグループＤＢ１４０を検索し、リソースグループ表のレコードから、ユーザ名称１４１のユーザ名称が一致し、かつ通信装置から通知されたサブアドレスと一致するサブアドレスがサブアドレス１４２に登録されたレコードが在るか調べる（ステップ３０６）。該当するレコードがない場合は、ステップ５０１に進み、該当するレコードが存在すれば、通信伝送路割当要求がＡＴＭ１０より指示されていると判断し、ステップ３０７に進む。
【００２７】
ステップ３０７で制御装置１２０は、ステップ３０６で見つかった該当レコードのグループメンバ管理Ｎｏ．１４４に登録されており、通信対象となる被災ユーザの通信装置を識別するグループメンバ管理Ｎｏ．を抽出する。そして、抽出したグループメンバ管理Ｎｏ．をスプール１７０に格納する（ステップ３０８）さらに、制御装置１２０は、ステップ３０７で抽出したグループメンバ管理Ｎｏ．に基づいてリソース割当ＤＢ１５０を検索する。そして、リソース割当表から、管理Ｎｏ．１５１に設定された管理Ｎｏ．が一致するレコードを抽出する（ステップ３０９）。その後、抽出したレコードに保持されている端末伝送路切替及び通信属性に関する情報を端末伝送路切替装置１８０に通知する（ステップ３１０）。端末伝送路切替装置１８０は、制御装置１２０から受理した端末伝送路切替及び通信属性に関する情報に従い、ＤＴＥ側ポート、ＤＣＥ側ポートの接続を行う（ステップ３１１）。
【００２８】
制御装置１２０は、回線スイッチ１１０に着信拒否を指示し、回線スイッチ１１０によりステップ３０２で回線網より受けた着信要求を拒否する（ステップ３１２）。
【００２９】
続いて、制御装置１２０は、スプール１７０に格納してあるグループメンバ管理Ｎｏ．に基づいて発着呼許可ＤＢ１３０を検索し、管理Ｎｏ．１３１が一致するレコードを抽出する。そして、抽出したレコードの回線番号１３３に登録されているバックアップ先の回線番号を回線スイッチ１１０に通知し、バックアップ先通信装置への発呼を指示する（ステップ３１３）。回線スイッチ１１０は、制御装置１２０から通知を受け、バックアップ先通信装置への発呼を行う。
【００３０】
さらに、制御装置１２０は、バックアップ用ホストコンピュータ２８０に対してアプリケーションプログラム２９０の起動を指示する（ステップ３１４）。そして、回線網より受けた発ＩＤと割り当てたリソースグループ名及び現在時刻を記憶装置１６０に記録する（ステップ３１５）。
【００３１】
バックアップ用ホストコンピュータ２８０は、制御装置１２０からの指示に従ってアプリケーションプログラム２９０を起動すると、アプリケーションプログラム２９０に従いノード２２０〜２７０のうち、選択されたノードを介して通信装置に対してオンラインサービスの起動を指示する（ステップ３１６）。これにより、通信装置１０がサブアドレスで指示したリソースグループに属する通信装置を用いたバックアップシステムが稼動し、通信伝送路の割当処理を終了する（ステップ３１７）。
【００３２】
一方、ステップ３０４、３０６の判断結果が否定的であった場合、処理は、ステップ５０１に進み、ステップ５０１において、制御装置１２０が回線スイッチ１１０に対し着信拒否を指示する。回線スイッチ１１０は、これに従い、回線網からの着信を拒否し、回線スイッチ１１０と発呼元の通信装置との間の通信が切断されて処理が終了する（ステップ５０２）。
【００３３】
以上説明した実施の形態によれば、特に、バックアップセンタにおいて、ユーザの被災時にオンラインシステムのバックアップを実施する場合において、想定被災ケースに基づき、バックアップのために必要なネットワーク機器までの通信伝送路を実際の被災状況に合わせ、ユーザに迅速かつ選択的に提供する必要のあるバックアップセンタが当該センタにあるネットワーク機器から被災ユーザの通信装置までのエンド・エンドの通信伝送路を、ユーザの利用する通信装置から自動的に、かつ迅速に割り当てることができる。
【００３４】
なお、本実施の形態においては、通信装置が送出する情報をＩＳＤＮ網におけるサブアドレスとして説明したが、公衆アナログ電話網におけるプッシュ番号や携帯電話網におけるプッシュ番号などを適用することも可能である。
【００３５】
【発明の効果】
本発明によれば遠隔地にあり、網を介して接続された通信装置群とノード群間の予め定義しておいた通信伝送路をユーザが通信装置から入力する情報及び発ＩＤにより自由に選択でき、グループに属する１台の通信装置からの発呼により通信装置の利用選択した伝送路が通信装置からノードまでのエンド・エンドまで一元的に割り当てられ、被災状況に合わせ迅速にバックアップ用の通信伝送路を確保することができる。
【図面の簡単な説明】
【図１】本発明の一実施の形態におけるコンピュータシステムのシステム構成ブロック図である。
【図２】通信伝送路の割当処理の手順を示すフローチャートである。
【図３】通信伝送路の割当処理の手順を示すフローチャートである。
【図４】通信伝送路の割当処理の手順を示すフローチャートである。
【図５】発着呼許可ＤＢ１上に格納される発着呼許可表のテーブル構成図である。
【図６】リソースグループＤＢ上に格納されるリソースグループ表のテーブル構成図である。
【図７】リソース割当ＤＢ上に格納されるリソース割当表のテーブル構成図である。
【符号の説明】
１０〜６０  通信装置
７０〜１００  通信網
１１０  回線スイッチ
１２０  制御装置
１３０  発着呼許可ＤＢ
１４０  リソースグループＤＢ
１５０  リソース割当ＤＢ
１６０  記憶装置
１７０  スプール
１８０  端末伝送路切替装置
１９０〜２１０  端末伝送路
２２０〜２４０  通信制御装置
２５０〜２７０  ルータ
２８０  バックアップ用ホストコンピュータ
２９０  アプリケーションプログラム
【図１】
0003601281.tif 000002
【図２】
0003601281.tif 000003
【図３】
0003601281.tif 000004
【図４】
0003601281.tif 000005
【図５】
0003601281.tif 000006
【図６】
0003601281.tif 000007
【図７】
0003601281.tif 000008